(57)【要約】【課題】ＩＣカードのスリによる被害や、落下による紛失を防止することができる、非接触型ＩＣカード専用のパスケース付きバッグを提供する。【解決手段】底部１２に矩形状の開口部１３が形成されたバッグ本体１４と、前記開口部１３に設けるＩＣカード専用のパスケース１５とから少なくとも構成されるパスケース付きバッグ１１であって、前記パスケース１５は、前記開口部１３の縁部１３ａに沿って取り付ける取付枠１６と、該取付枠１６に一体に設けられるトレー型の収納部１７と、前記取付枠１６に連結部１８を介して一体に設けられると共に前記収納部１７にセットされるＩＣカードの収納ケース１９とを備え、該収納ケース１９には、前記収納部１７へ出し入れをするための摘み片２６が設けられている。【選択図】      図１
2009136602.tif 000002
【特許請求の範囲】
【請求項１】
底部に矩形状の開口部が形成されたバッグと、前記開口部に設けるＩＣカード専用のパスケースとから少なくとも構成されるパスケース付きバッグであって、
前記パスケースは、
前記開口部の縁部に沿って取り付ける取付枠と、
該取付枠に一体に設けられるトレー型の収納部と、
前記取付枠に連結部を介して一体に設けられると共に前記収納部にセットされるＩＣカードの収納ケースと
を備え、
該収納ケースには、前記収納部へ出し入れをするための摘み片が設けられていること
を特徴とするパスケース付きバッグ。
【請求項２】
前記収納部は、透明又は半透明の合成樹脂材で形成されると共に、補強用の網が配設されていることを特徴とする請求項１に記載のパスケース付きバッグ。
【請求項３】
前記収納ケースには、前記摘み片を挟持する切欠部が設けられていることを特徴とする請求項１に記載のパスケース付きバッグ。
【請求項４】
前記収納ケースには、前記取付枠に係止する係止片が設けられていることを特徴とする請求項１に記載のパスケース付きバッグ。
【発明の詳細な説明】
【技術分野】
【０００１】
本発明は、非接触型ＩＣカード専用のパスケースが設けられた、パスケース付きバッグに関するものである。
【背景技術】
【０００２】
近年、非接触型ＩＣカードが広く使用されている。スイカ（登録商標）やパスモ（登録商標）等が知られている非接触型ＩＣカードは、電車やバスの乗降だけでなく、コンビニエンスストアーや自動販売機等でも使用することができ、その使用範囲は次第に拡大している。
【０００３】
一方、非接触型ＩＣカードを収納するポケットが設けられた、バッグが知られている。このバッグは、布又はビニールで形成された矩形状のポケットが、バッグの底部に縫着などの手段で取り付けられている。そして、ポケットの側部には非接触型ＩＣカードを差し込むための挿入口が設けられている（特許文献１又は２参照）。
【０００４】
このような構成のバッグは、ポケットに非接触型ＩＣカードを収納して、持ち手を把持した状態で、底部のポケットを自動改札機等の読み取り機に近接させて使用する。従って、パスケースを直接手で持つ必要がないので、荷物を沢山持っているときなどには便利である。
【特許文献１】実用新案登録第３０７９０２７号公報
【特許文献２】実用新案登録第３０８６０８３号公報
【発明の開示】
【発明が解決しようとする課題】
【０００５】
この従来例のバッグにおいては、底部にポケットとその挿入口とが露出した状態で設けられているので、混雑した電車内などにおいて、挿入口からＩＣカードがスリに抜き取られたり、あるいは落下するおそれがあるという問題点を有している。
【０００６】
また、ポケットは、布又はビニールで形成されているので、刃物で容易に切断することができる。つまり、上述の場合と同様に、混雑した電車内などにおいて、ポケットが切断されてＩＣカードがスリに抜き取られるおそれがあるという問題点を有している。
【０００７】
従って、従来例におけるバッグにおいては、ＩＣカードがスリに抜き取られたりするなどの被害を防止することと、落下による紛失を防ぐこととに解決しなければならない課題を有している。
【課題を解決するための手段】
【０００８】
前記従来例の課題を解決する具体的手段として本発明は、底部に矩形状の開口部が形成されたバッグと、前記開口部に設けるＩＣカード専用のパスケースとから少なくとも構成されるパスケース付きバッグであって、前記パスケースは、前記開口部の縁部に沿って取り付ける取付枠と、該取付枠に一体に設けられるトレー型の収納部と、前記取付枠に連結部を介して一体に設けられると共に前記収納部にセットされるＩＣカードの収納ケースとを備え、該収納ケースには、前記収納部へ出し入れをするための摘み片が設けられていることを特徴とするパスケース付きバッグを提供するものである。
【０００９】
また、前記収納部は、透明又は半透明の合成樹脂材で形成されると共に、補強用の網が配設されている構成としたものであり、そして、前記収納ケースには、前記摘み片を挟持する切欠部が設けられている構成としたものであり、更に、前記収納ケースには、前記取付枠に係止する係止片が設けられている構成としたものである。
【発明の効果】
【００１０】
本発明に係るパスケース付きバッグは、底部に矩形状の開口部が形成されたバッグと、前記開口部に設けるＩＣカード専用のパスケースとから少なくとも構成されるパスケース付きバッグであって、前記パスケースは、前記開口部の縁部に沿って取り付ける取付枠と、該取付枠に一体に設けられるトレー型の収納部と、前記取付枠に連結部を介して一体に設けられると共に前記収納部にセットされるＩＣカードの収納ケースとを備え、該収納ケースには、前記収納部へ出し入れをするための摘み片が設けられていることによって、ＩＣカードを収納ケースに収納して、さらにその収納ケースを収納部にセットするので、ＩＣカードを二重にカバーする構造である。そして、収納ケースの挿入口がバッグの外側に露出しない構造である。
従って、混雑した電車内などで挿入口からＩＣカードがスリに抜き取られたりする盗難被害を防止できる。また、ＩＣカードが挿入口から落下しないので紛失を防止できるという種々の優れた効果を奏する。
【００１１】
また、収納部は、透明又は半透明の合成樹脂材で形成されると共に、補強用の網が配設されていることによって、バックの外側からＩＣカードが視認できるので便利である。また、補強用の網の存在により、収納部が刃物で容易に切断できない。従って、上述のＩＣカードを二重にカバーする構造と相俟って、混雑した電車内などでの収納部の切断によるＩＣカードのスリ被害を防止できるという種々の優れた効果を奏する。
【００１２】
そして、収納ケースには、前記摘み片を挟持する切欠部が設けられていることによって、摘み片を切欠部に挟持させて倒伏状態を維持できるので邪魔にならないという優れた効果を奏する。
【００１３】
更に、収納ケースには、前記取付枠に係止する係止片が設けられていることによって、収納ケースを収納部にセットした状態を安定して維持できる。つまり、バッグを少々振り回しても収納ケースが収納部から飛び出さないという優れた効果を奏する。
【発明を実施するための最良の形態】
【００１４】
次に、本発明の実施の形態について図面を参照しながら説明する。まず、図１において、符号１１はパスケース付きバッグを示し、このパスケース付きバッグ１１は、底部１２に矩形状の開口部１３が形成されたバッグ本体１４と、開口部１３に設ける非接触型ＩＣカードＫ専用のパスケース１５とから構成される。
【００１５】
バッグ本体１４は、図２に示すように、上部が開口して袋状に形成され、上部の縁部１４ａには、持ち手１４ｂが一対設けられている。また、底部１２のほぼ中央位置には、所定の大きさの開口部１３が形成されている。
【００１６】
底部１２の内側には、図３に示すように、内布１２ａが配設されており、バック本体１４の内部に開口部１３が露出しないようになっている。また、内布１２ａには、切れ目又はスライドファスナー１２ｂが設けられており、この切れ目又はスライドファスナー１２ｂから開口部１３に手を入れることができるようになっている。
【００１７】
パスケース１５は、図４に示すように、開口部１３の縁部１３ａに沿って取り付ける取付枠１６と、この取付枠１６に一体に設けられるトレー型の収納部１７と、取付枠１６に連結部１８を介して一体に設けられるＩＣカードＫの収納ケース１９とからなる。
【００１８】
取付枠１６は、所定幅の枠が、開口部１３の縁部１３ａに沿って矩形状に形成されている。この取付枠１６が、バッグ本体１４の内側から開口部１３の縁部１３ａに沿って宛がわれて、縫着又は接着等の適宜の取付手段で固着されている。
【００１９】
なお、取付枠１６において、後述する収納ケース１９の係止片３０が係止する位置では、図７に示すように、側壁２１よりもやや内側に取付枠１６が突出して突出部２２を形成しており、この突出部２２に係止片３０が係止するようになっている。
【００２０】
収納部１７は、底の浅いトレー型に形成されて、矩形状の底部２０と、この底部２０の各四辺に一体に連設される側壁２１、２１…とからなり、この側壁２１の上端部が取付枠１６の内側部１６ａに一体に連設されている。
【００２１】
また、収納部１７は、透明又は半透明なプラスチック等の合成樹脂材で形成されており、バッグ１１の外側からＩＣカードＫが視認できるようになっている。
【００２２】
更に、収納部１７、即ち、底部２０と側壁２１とには、炭素繊維等からなる補強用の網１７ａが配設されている。この場合、収納部１７が刃物で容易に切断できないこととなるので、混雑した電車内などでの収納部１７の切断によるＩＣカードＫのスリ被害を防止できる。
【００２３】
連結部１８は、図４及び図７に示すように、横長の帯状に形成されており、一端１８ａが取付枠１６の外側部１６ｂに一体に連設されており、他端１８ｂが収納ケース１９の端部２３に一体に連設されている。
【００２４】
収納ケース１９は、矩形状の合成樹脂シートが２枚重ね合わされて、端部２３と両側部２４、２４とが熱シールにより溶着されている。また、端部２３と反対側の端部にＩＣカードＫの挿入口２５が形成されており、この挿入口２５から収納ケース１９の内部にＩＣカードＫが挿入できる構造になっている。そして、収納ケース１９の大きさは、ＩＣカードＫが収納できる大きさであり、且つ収納部１７にセットできる適宜の大きさである。
【００２５】
収納ケース１９の一方の面１９ａにおいて、挿入口２５側には、図５から図７に示すように、摘み片２６が設けられている。この摘み片２６を指で摘んで収納部１７に出し入れすることができるようになっている。また、摘み片２６には、孔部２７が形成されており、両側から指で摘み易いようになっている。
【００２６】
また、収納ケース１９の一方の面１９ａには、図５に示すように、楕円孔２８が形成されており、この楕円孔２８の一部には、切欠部２９が形成されている。この切欠部２９は、摘み片２６を倒伏して挟持できるようになっており（図６参照）、摘み片２６を切欠部２９に挟持させれば邪魔にならない。
【００２７】
更に、収納ケース１９の一方の面１９ａにおいて、挿入口２５の近傍には、図４及び図７に示すように、係止片３０が設けられている。この係止片３０は、前述のように、取付枠１６の突出部２２に係止できるようになっており、係止片３０を突出部２２に係止することで、収納ケース１９を収納部１７にセットした状態を安定して維持できる（図７参照）。つまり、バッグを少々振り回しても収納ケース１９が収納部１７から飛び出さない。
【００２８】
収納ケース１９の他方の面１９ｂには、図４に示すように、凹部３１と楕円孔３２とが形成されており、前述の楕円孔２８の存在と相俟って、ＩＣカードＫを収納ケース１９に出し入れする際に、両側から指で摘み易いようになっている。
【００２９】
以上のような構成のパスケース付きバッグ１１は、ＩＣカードＫを収納ケース１９に収納して（図４参照）、さらにその収納ケース１９を収納部１７にセットする（図５及び図６参照）。そして、バッグ１１の持ち手１４ｂを手で把持した状態で、底部１２の収納部１７を自動改札機等の読み取り機に近接させて使用する。従って、パスケースを直接手で持つ必要がないので、荷物を沢山持っているときなどは便利である。
【００３０】
また、パスケース付きバッグ１１は、ＩＣカードＫを収納ケース１９に収納して、さらにその収納ケース１９を収納部１７にセットするので、ＩＣカードＫを二重にカバーする構造である。更に、収納ケース１９を収納部１７にセットするので、挿入口２５がバッグ１１の外側に露出しない構造である。
従って、混雑した電車内などで挿入口２５からＩＣカードＫがスリに抜き取られたりする盗難被害を防止できる。また、ＩＣカードＫが挿入口２５から落下しない構造なので紛失を防止できる。
【産業上の利用可能性】
【００３１】
本発明のパスケース付きバッグ１１は、必ずしも図１に示す形状のバッグに限定されることはない。例えば、ハンドバッグ、ショルダーバッグ、ショッピングバッグ、ポシェット、又はスーツケースや、セカンドバッグのような持ち手を有さないバッグなど、様々な種類のバッグに適用することができる。
【図面の簡単な説明】
【００３２】
【図１】本発明に係るパスケース付きバッグ１１の斜視図である。
【図２】バッグ本体１４の斜視図である。
【図３】本発明に係るパスケース付きバッグ１１の、一部を破断して示した斜視図である。
【図４】開口部１３とパスケース１５とを分離して、底部１２の内側から示した斜視図である。
【図５】開口部１３に固着されパスケース１５を、底部１２の内側から示した斜視図である。
【図６】開口部１３に固着されパスケース１５を、底部１２の内側から示した斜視図である。
【図７】図５のＡ−Ａ断面図である。
【符号の説明】
【００３３】
１１  パスケース付きバッグ
１２  底部
１２ａ内布
１２ｂ切れ目又はスライドファスナー
１３  開口部
１３ａ縁部
１４  バッグ本体
１４ａ縁部
１４ｂ持ち手
１５  パスケース
１６  取付枠
１６ａ内側部
１６ｂ外側部
１７  収納部
１７ａ網
１８  連結部
１８ａ一端
１８ｂ他端
１９  収納ケース
１９ａ一方の面
１９ｂ他方の面
２０  底部
２１  側壁
２２  突出部
２３  端部
２４  側部
２５  挿入口
２６  摘み片
２７  孔部
２８  楕円孔
２９  切欠部
３０  係止片
３１  凹部
３２  楕円孔
【図１】
2009136602.tif 000003
【図２】
2009136602.tif 000004
【図３】
2009136602.tif 000005
【図４】
2009136602.tif 000006
【図５】
2009136602.tif 000007
【図６】
2009136602.tif 000008
【図７】
2009136602.tif 000009